(57)【特許請求の範囲】
【請求項１】
物体側より順に、物体側に凹面を向けるとともに少なくとも１つの非球面を有する負のメニスカスレンズからなる第１レンズ、正の第２レンズ、負の第３レンズ、正の第４レンズ、および物体側に凹面を向けるとともに少なくとも１つの非球面を有する負のメニスカスレンズからなる第５レンズをこの順に配設してなり、
下記条件式（１）を満たすように構成されてなることを特徴とする明るい広角レンズ。
−０．９＜（Ｒ1−Ｒ2）／（Ｒ1＋Ｒ2）・・・（１）
ただし、
Ｒ1：第１レンズの物体側の面の曲率半径
Ｒ2：第１レンズの像面側の面の曲率半径
【請求項２】
前記第２レンズおよび前記第４レンズが両凸レンズとされ、前記第３レンズが両凹レンズとされたことを特徴とする請求項１記載の明るい広角レンズ。
【発明の詳細な説明】
【０００１】
【発明の属する技術分野】
本発明は、明るい広角レンズに関し、特に、コンパクトなレンズシャッタカメラ用として好適な単焦点レンズに関するものである。
【０００２】
【従来の技術】
近年、レンズシャッターカメラに用いられる単焦点レンズにおいて、小型軽量で携帯性が良く操作性の良いカメラに対する要求が高まるのに伴い、レンズも小型化、広画角化、大口径化が求められるようになってきている。
【０００３】
広角レンズとしては、従来よりレトロフォーカスタイプの一眼レフ用交換レンズが知られており、また、近年では特開平１−１３０１１６号公報や、特開平１−２０９４１３号公報に開示されたもののようにレンズシャッターカメラ用のものも知られてきている。このレンズシャッターカメラ用のレンズは、４枚玉構成で、物体側より順に、正の第１レンズ、負の第２レンズ、正の第３レンズ、および物体側に凹面を向けた負のメニスカスレンズからなる第４レンズを配設したものである。
【０００４】
【発明が解決しようとする課題】
しかしながら、上述したように物体側より順に、正の第１レンズ、負の第２レンズ、正の第３レンズ、物体側に凹面を向けた負のメニスカスレンズからなる第４レンズを配設した４枚玉構成の従来のレンズシャッターカメラ用のレンズでは、小型化、広画角化、大口径化を十分に達成することが困難であった。
【０００５】
本発明はこのような事情に鑑みなされたものであり、周辺画角まで結像性能の良好な広角レンズであって、広画角、大口径で明るくコンパクトな広角レンズを提供することを目的とするものである。
【０００６】
【課題を解決するための手段】
本発明にかかる明るい広角レンズは、物体側より順に、物体側に凹面を向けるとともに少なくとも１つの非球面を有する負のメニスカスレンズからなる第１レンズ、正の第２レンズ、負の第３レンズ、正の第４レンズ、および物体側に凹面を向けるとともに少なくとも１つの非球面を有する負のメニスカスレンズからなる第５レンズをこの順で配設してなり、
下記条件式（１）を満たすように構成されてなることを特徴とするものである。
【０００７】
−０．９＜（Ｒ1−Ｒ2）／（Ｒ1＋Ｒ2）・・・（１）
ただし、
Ｒ1：第１レンズの物体側の面の曲率半径
Ｒ2：第１レンズの像面側の面の曲率半径
本発明にかかる明るい広角レンズでは、従来から周知の光学系に採用されているような、物体側より順に、正のレンズ、負のレンズ、正のレンズ、物体側に凹面を向けた負のメニスカスレンズを配設した４枚玉構成からなる光学系のさらに物体側に、物体側に凹面を向けるとともに、少なくとも１つの非球面を有する負のメニスカスレンズからなる第１レンズを加えた構成とすることにより、より広画角化、コンパクト化、大口径化という要求を満たす明るい広角レンズを実現することができる。
【０００８】
本発明の明るい広角レンズでは、最も物体側の第１レンズを、物体側に凹面を向けたメニスカスレンズとすることにより、結果として歪曲収差、像面湾曲を良好に補正する事ができる。
また、この第１レンズの少なくとも１面を非球面とすることにより、レンズ枚数を増加させることなく、諸収差を良好に補正することができる。
【０００９】
また、上述した条件式（１）を満たすことにより、周辺画角まで結像性能の良好な広角レンズとすることができる。すなわち、（Ｒ1−Ｒ2）／（Ｒ1＋Ｒ2）の値が条件式（１）の下限を下回ると、第１レンズが発生する球面収差、コマ収差が大きくなりすぎる。
なお、上述した第２レンズおよび第４レンズを両凸レンズとし、上述した第３レンズを両凹レンズとすることが好ましい。
【００１０】
【発明の実施の形態】
以下、本発明の実施形態について実施例１〜３を用いて具体的に説明する。
図１は、実施例１にかかる明るい広角レンズのレンズ構成を示すものであり、図２は、実施例２（実施例３も略同様のレンズ構成とされている）にかかる明るい広角レンズのレンズ構成を示すものである。
【００１１】
図１，図２に示すように、実施例１〜３にかかる広角レンズは、物体側より順に、物体側に凹面を向けた非球面を有する負のメニスカスレンズからなる第１レンズＬ1、両凸形状の第２レンズＬ2、両凹形状の第３レンズＬ3、両凸形状の第４レンズＬ4、および物体側に凹面を向けた非球面を有する負のメニスカスレンズからなる第５レンズＬ5をこの順で配設するようにしており、物体側から光軸Ｘに沿って入射した光束を集束せしめて、結像面２上に被写体像を結像するように構成されている。
また、実施例１〜３にかかる広角レンズは、以下の条件式（１）を満たすように構成されている。
【００１２】
−０．９＜（Ｒ1−Ｒ2）／（Ｒ1＋Ｒ2）・・・（１）
ただし、
Ｒ1：第１レンズＬ1の物体側の面の曲率半径
Ｒ2：第１レンズＬ1の像面側の面の曲率半径
また、図１、図２に示すように、実施例１にかかる広角レンズと、実施例２および実施例３にかかる広角レンズとでは、シャッタ絞り１の位置が異なっている。
【００１３】
すなわち、図１に示すように、実施例１にかかる広角レンズは、第４レンズＬ4と第５レンズＬ5との間にシャッタ絞り１が配設されている。
一方、図２に示すように、実施例２および実施例３にかかる広角レンズは、第３レンズＬ3と第４レンズＬ4との間にシャッタ絞り１が配設されている。
以下、上述した実施例１〜３にかかる広角レンズについて具体的に説明する。
【００１４】
＜実施例１＞
上述した実施例１にかかる広角レンズの各レンズ面の曲率半径Ｒ（ｍｍ）、各レンズの中心厚および各レンズ間の空気間隔Ｄ（ｍｍ）、各レンズのｄ線における屈折率Ｎdおよびアッベ数νdの値を下記表１に示す。
なお、表中の数字は物体側からの順番を表すものである（実施例２，３において同じ）。
また、表１中の面番号の左側に＊が付された面は非球面とされており、下記非球面式で表される非球面形状であることを意味するものである（表３，５において同じ）。
【００１５】
【数１】
0003769373.tif 000002
【００１６】
ただし、Ｚ：光軸からの高さｈの非球面上の点より、非球面頂点の接平面
（光軸に垂直な平面）に下ろした垂線の長さ（ｍｍ）
Ｃ：非球面の近軸曲率
ｈ：光軸からの高さ（ｍｍ）
Ｋ：離心率
Ａ4、Ａ6、Ａ8、Ａ10：第４，６，８，１０次の非球面係数
また、下記表２の上段に、上記非球面式に示される非球面の各定数Ｋ，Ａ4 〜Ａ10 の値を示す。
【００１７】
【表１】
0003769373.tif 000003
【００１８】
【表２】
0003769373.tif 000004
【００１９】
また、上記表２の下段には実施例１にかかる広角レンズの像面側の焦点距離ｆ’、Ｆno、画角２ωの値が示されている。
さらに、上記表１から明らかなように、Ｒ1の値は−２２．４３５であり、Ｒ2の値は−３０．４７２であるから、（Ｒ1−Ｒ2）／（Ｒ1＋Ｒ2）の値は−０．１５２となり、上述した条件式（１）を満足する。
【００２０】
＜実施例２＞
上述した実施例２にかかる広角レンズの各レンズ面の曲率半径Ｒ（ｍｍ）、各レンズの中心厚および各レンズ間の空気間隔Ｄ（ｍｍ）、各レンズのｄ線における屈折率Ｎdおよびアッベ数νdの値を表３に示す。
また、表４の上段に、上記非球面式に示される非球面の各定数Ｋ，Ａ4 〜Ａ10
の値を示す。
【００２１】
【表３】
0003769373.tif 000005
【００２２】
【表４】
0003769373.tif 000006
【００２３】
また、上記表４の下段には実施例２の広角レンズの像面側の焦点距離ｆ’、Ｆno、画角２ωの値が示されている。
さらに、上記表３から明らかなように、Ｒ1の値は、−２４．３４６であり、Ｒ2の値は、−２９．７２２であるから、（Ｒ1−Ｒ2）／（Ｒ1＋Ｒ2）の値は−０．０９９となり、上述した条件式（１）を満足する。
【００２４】
＜実施例３＞
上述した実施例３にかかる広角レンズの各レンズ面の曲率半径Ｒ（ｍｍ）、各レンズの中心厚および各レンズ間の空気間隔Ｄ（ｍｍ）、各レンズのｄ線における屈折率Ｎdおよびアッベ数νdの値を表５に示す。
また、表６の上段に、上記非球面式に示される非球面の各定数Ｋ，Ａ4 〜Ａ10
の値を示す。
【００２５】
【表５】
0003769373.tif 000007
【００２６】
【表６】
0003769373.tif 000008
【００２７】
また、上記表６の下段には実施例２の広角レンズの像面側の焦点距離ｆ’、Ｆno、画角２ωの値が示されている。
さらに、上記表５から明らかなように、Ｒ1の値は、−２１．８３８であり、Ｒ2の値は、−２６．２７０であるから、（Ｒ1−Ｒ2）／（Ｒ1＋Ｒ2）の値は−０．０９２となり、上述した条件式（１）を満足する。
【００２８】
図３〜図５は各々上記実施例１〜３における球面収差、非点収差、ディストーションを示す収差図である。
これらの収差図から明らかなように、各実施例にかかる明るい広角レンズによれば、簡単な構成でありながら各収差を良好なものとすることができる。
なお、本発明の明るい広角レンズとしては上記実施例のものに限られるものではなく、例えば第２レンズ〜第４レンズをメニスカスレンズにより構成することが可能である。
【００２９】
【発明の効果】
本発明の明るい広角レンズによれば、従来より周知のレンズ構成である４枚玉構成の光学系、すなわち物体側より順に、正のレンズ、負のレンズ、正のレンズ、物体側に凹面を向けた負のメニスカスレンズという光学系のさらに物体側に、物体側に凹面を向けるとともに、少なくとも一つの非球面を有する負のメニスカスレンズからなる第１レンズを加えた構成とすることにより、より広画角化、大口径化、コンパクトを図りつつ、周辺画角まで結像性能の良好な明るい広角レンズとすることができる。
【００３０】
また、条件式（１）により物体側の第１レンズにおける物体側の面の曲率半径と像面側の面の曲率半径との関係を所定の範囲に設定することで、上記レンズ構成において、周辺画角での結像性能を良好に補正することが可能となる。
【図面の簡単な説明】
【図１】本発明の実施例１にかかる明るい広角レンズのレンズ構成を示す概略図
【図２】本発明の実施例２にかかる明るい広角レンズのレンズ構成を示す概略図
【図３】実施例１にかかる明るい広角レンズにおける収差図
【図４】実施例２にかかる明るい広角レンズにおける収差図
【図５】実施例３にかかる明るい広角レンズにおける収差図
【符号の説明】
Ｌ1 〜Ｌ5      レンズ
Ｒ1 〜Ｒ10     レンズ面の曲率半径
Ｄ1 〜Ｄ9      レンズ面間隔（レンズ厚）
Ｘ             光軸
１             シャッタ絞り
２             結像面
【図１】
0003769373.tif 000009
【図２】
0003769373.tif 000010
【図３】
0003769373.tif 000011
【図４】
0003769373.tif 000012
【図５】
0003769373.tif 000013